(57)【要約】【課題】  モニタ画面を複数の分割画面に分割し各分割画面に夫々異なる画像を表示して比較を行うとき大きさの異なる画像であっても容易に比較ができるようにする。【解決手段】  第１の画像Ａと第２の画像Ｂとが両方共に内包される共通画像サイズＭabを決定し、画像Ａ，Ｂが共通画像サイズＭabより小さい画像のときは該画像の周りにべた塗り表示用のデータを付加することで第１，第２の画像を前記共通画像サイズと同サイズにし夫々を表示用画像とし、該表示用画像から切り出した画像を前記各分割画面に夫々表示することで画像の解像度を自動的に同じにする。【選択図】  図４
2005084089.tif 000002
【特許請求の範囲】
【請求項１】
モニタ画面を複数の分割画面に分割し各分割画面に夫々異なる画像を表示する画像比較表示方法において、各分割画面に表示する画像のサイズが異なる場合には各画像の解像度を自動的に同じにして各分割画面に表示することを特徴とする画像比較表示方法。
【請求項２】
モニタ画面を複数の分割画面に分割し各分割画面に夫々異なる画像を表示する画像比較表示方法において、１つの分割画面に表示されている画像を別画像に変更する場合には該別画像の解像度を他の分割画面に表示されている画像の解像度に自動的に一致させてから表示することを特徴とする画像比較表示方法。
【請求項３】
１つの分割画面の表示画像を拡大表示または縮小表示或いはスクロール表示させたとき他の分割画面の表示画像も同一倍率で拡大表示または縮小表示させ或いは同一移動方向移動距離だけスクロール表示させることを特徴とする請求項１または請求項２に記載の画像比較表示方法。
【請求項４】
前記同一倍率による拡大表示または縮小表示或いは同一移動方向移動距離のスクロール表示は、連動指示の入力があったとき行い、該連動指示の入力が無い場合には拡大指示，縮小指示，スクロール指示があった分割画面の表示画像に対してだけ拡大表示，縮小表示，スクロール表示を行うことを特徴とする請求項３に記載の画像比較表示方法。
【請求項５】
第１の画像と第２の画像とが両方共に内包される共通画像サイズを決定し、前記画像が前記共通画像サイズより小さい画像のときは該画像の周りにべた塗り表示用のデータを付加することで前記第１，第２の画像を前記共通画像サイズと同サイズにして夫々を表示用画像とし、該表示用画像から切り出した画像を前記各分割画面に夫々表示することで画像の解像度を自動的に同じにすることを特徴とする請求項１乃至請求項４のいずれかに記載の画像比較表示方法。
【請求項６】
第１の分割画面に表示されている第１の画像と第２の分割画面に表示されている第２の画像とを連動させて拡大表示または縮小表示或いはスクロール表示させた後に前記第１の分割画面に表示されている前記第１の画像を第３の画像に変更する場合には、前記第２の分割画面の表示画像を固定し、前記第２の画像と前記第３の画像から求めた前記共通画像サイズ中における前記表示画像の切出枠の画素座標を求め、該画素座標と同じ切出枠にて前記共通画像サイズの前記第３の画像から表示用の画像を切り出し前記第１の分割画面に表示することを特徴とする請求項５に記載の画像比較表示方法。
【請求項７】
モニタ画面を複数の分割画面に分割し各分割画面に夫々異なる画像を表示する画像比較表示装置において、各分割画面に表示する画像のサイズが異なる場合に各画像の解像度を自動的に同じにして各分割画面に表示する制御手段を備えることを特徴とする画像比較表示装置。
【請求項８】
モニタ画面を複数の分割画面に分割し各分割画面に夫々異なる画像を表示する画像比較表示装置において、１つの分割画面に表示されている画像を別画像に変更する場合には該別画像の解像度を他の分割画面に表示されている画像の解像度に自動的に一致させてから表示する制御手段を備えることを特徴とする画像比較表示装置。
【請求項９】
前記制御手段は、１つの分割画面の表示画像を拡大表示または縮小表示或いはスクロール表示させたとき他の分割画面の表示画像も同一倍率で拡大表示または縮小表示させ或いは同一移動方向移動距離だけスクロール表示させることを特徴とする請求項７または請求項８に記載の画像比較表示装置。
【請求項１０】
前記制御手段は、前記同一倍率による拡大表示または縮小表示或いは同一移動方向移動距離のスクロール表示を、連動指示の入力があったとき行い、該連動指示の入力が無い場合には拡大指示，縮小指示，スクロール指示があった分割画面の表示画像に対してだけ拡大表示，縮小表示，スクロール表示を行うことを特徴とする請求項９に記載の画像比較表示装置。
【請求項１１】
前記制御手段は、第１の画像と第２の画像とが両方共に内包される共通画像サイズを決定し、前記画像が前記共通画像サイズより小さい画像のときは該画像の周りにべた塗り表示用のデータを付加することで前記第１，第２の画像を前記共通画像サイズと同サイズにし夫々を表示用画像としてメモリに一時保存し、該表示用画像から切り出した画像を前記各分割画面に夫々表示することで画像の解像度を自動的に同じにすることを特徴とする請求項７乃至請求項１０のいずれかに記載の画像比較表示装置。
【請求項１２】
前記制御手段は、第１の分割画面に表示されている第１の画像と第２の分割画面に表示されている第２の画像とを連動させて拡大表示または縮小表示或いはスクロール表示させた後に前記第１の分割画面に表示されている前記第１の画像を第３の画像に変更する場合には、前記第２の分割画面の表示画像を固定し、前記第２の画像と前記第３の画像から求めた前記共通画像サイズ中における前記表示画像の切出枠の画素座標を求め、該画素座標と同じ切出枠にて前記共通画像サイズの前記第３の画像から表示用の画像を切り出し前記第１の分割画面に表示することを特徴とする請求項１１に記載の画像比較表示装置。
【請求項１３】
モニタ画面を複数の分割画面に分割し各分割画面に夫々異なる画像を表示する画像比較表示プログラムにおいて、各分割画面に表示する画像のサイズが異なる場合には各画像の解像度を自動的に同じにして各分割画面に表示する処理ステップを備えることを特徴とする画像比較表示プログラム。
【請求項１４】
モニタ画面を複数の分割画面に分割し各分割画面に夫々異なる画像を表示する画像比較表示プログラムにおいて、１つの分割画面に表示されている画像を別画像に変更する場合には該別画像の解像度を他の分割画面に表示されている画像の解像度に自動的に一致させてから表示する処理ステップを備えることを特徴とする画像比較表示プログラム。
【請求項１５】
前記処理ステップは、１つの分割画面の表示画像を拡大表示または縮小表示或いはスクロール表示させたとき他の分割画面の表示画像も同一倍率で拡大表示または縮小表示させ或いは同一移動方向移動距離だけスクロール表示させるステップを備えることを特徴とする請求項１３または請求項１４に記載の画像比較表示プログラム。
【請求項１６】
前記処理ステップは、前記同一倍率による拡大表示または縮小表示或いは同一移動方向移動距離のスクロール表示を、連動指示の入力があったとき行うステップと、該連動指示の入力が無い場合には拡大指示，縮小指示，スクロール指示があった分割画面の表示画像に対してだけ拡大表示，縮小表示，スクロール表示を行うステップとを備えることを特徴とする請求項１５に記載の画像比較表示プログラム。
【請求項１７】
前記処理ステップは、第１の画像と第２の画像とが両方共に内包される共通画像サイズを決定するステップと、前記画像が前記共通画像サイズより小さい画像のときは該画像の周りにべた塗り表示用のデータを付加することで前記第１，第２の画像を前記共通画像サイズと同サイズにして夫々を表示用画像とするステップと、該表示用画像から切り出した画像を前記各分割画面に夫々表示することで画像の解像度を自動的に同じにするステップとを備えることを特徴とする請求項１３乃至請求項１６のいずれかに記載の画像比較表示プログラム。
【請求項１８】
前記処理ステップは、第１の分割画面に表示されている第１の画像と第２の分割画面に表示されている第２の画像とを連動させて拡大表示または縮小表示或いはスクロール表示させた後に前記第１の分割画面に表示されている前記第１の画像を第３の画像に変更する場合には、前記第２の分割画面の表示画像を固定し前記第２の画像と前記第３の画像から求めた前記共通画像サイズ中における前記表示画像の切出枠の画素座標を求めるステップと、該画素座標と同じ切出枠にて前記共通画像サイズの前記第３の画像から表示用の画像を切り出すステップと、該ステップにて切り出した画像を前記第１の分割画面に表示するステップとを備えることを特徴とする請求項１７に記載の画像比較表示プログラム。
【発明の詳細な説明】
【技術分野】
【０００１】
本発明は２枚の画像をモニタ画面上で並べて表示する画像比較表示方法等に係り、特に、大きさの異なる２枚の画像比較を容易に行うことができる画像比較表示方法及びその装置並びに画像比較表示プログラムに関する。
【背景技術】
【０００２】
デジタルカメラが普及し、撮像した画像をパーソナルコンピュータ等に多数取り込んでハードディスク等の大容量記憶メディアに保存し、更に、各画像をパーソナルコンピュータのモニタ画面上でトリミング処理したりレタッチソフト等で画像処理したりして、処理済みの画像も一緒に保存する様になってきている。
【０００３】
しかしその一方で、多数の画像が蓄積されてくると、その中から気に入った画像を選び出すのが難しくなってもきている。このため、例えば下記特許文献１記載の従来技術では、モニタ画面を画面分割して２枚の画像を並べて表示できるようにし、２枚の画像をモニタ画面上で比較して両画像間の違いを目視で容易に判断できる様にしている。
【０００４】
【特許文献１】特開２０００―２９８４６７号公報
【発明の開示】
【発明が解決しようとする課題】
【０００５】
表示対象画像をモニタ画面に画像ビュアーソフト等を用いて表示する場合、通常は、表示対象画像を、画面あるいは表示ウインドウの表示枠一杯に表示するフィット表示が採用される。
【０００６】
しかし、比較する２枚の画像の夫々を、画面分割した第１分割画面と第２分割画面に表示する場合にこのフィット表示を採用すると、比較が困難になる場合が生じる。例えば、第１分割画面に花壇の画像を表示し、この花壇の画像中から切り出した１つの花の画像を第２分割画面に表示してその花の画像より綺麗な花の画像が花壇の画像中に残っているか否かを比較する場合、第２分割画面一杯に花の画像がフィット表示で拡大されてしまうと、花の画像と花壇中の花の画像とを比較するのが困難になってしまう。
【０００７】
本発明の目的は、大きさの異なる画像であっても比較を容易に行うことができる画像比較表示方法及びその装置並びに画像比較表示プログラムを提供することにある。
【課題を解決するための手段】
【０００８】
本発明の画像比較表示方法及びその装置並びに画像比較表示プログラムは、モニタ画面を複数の分割画面に分割し各分割画面に夫々異なる画像を表示する画像比較表示において、各分割画面に表示する画像のサイズが異なる場合には各画像の解像度を自動的に同じにして各分割画面に表示することを特徴とする。
【０００９】
この構成により、比較する両画像の表示解像度が面倒な操作無しに一致するため、両画像の比較が容易となる。
【００１０】
本発明の画像比較表示方法及びその装置並びに画像比較表示プログラムは、モニタ画面を複数の分割画面に分割し各分割画面に夫々異なる画像を表示する画像比較表示において、１つの分割画面に表示されている画像を別画像に変更する場合には該別画像の解像度を他の分割画面に表示されている画像の解像度に自動的に一致させてから表示することを特徴とする。
【００１１】
この構成により、比較する両画像の表示解像度が面倒な操作無しに一致するため、両画像の比較が容易となる。
【００１２】
本発明の画像比較表示方法及びその装置並びに画像比較表示プログラムは、１つの分割画面の表示画像を拡大表示または縮小表示或いはスクロール表示させたとき他の分割画面の表示画像も同一倍率で拡大表示または縮小表示させ或いは同一移動方向移動距離だけスクロール表示させることを特徴とする。
【００１３】
この構成により、一方の画像表示が変更された場合でも両画像の比較が容易となる。
【００１４】
本発明の画像比較表示方法及びその装置並びに画像比較表示プログラムは、前記同一倍率による拡大表示または縮小表示或いは同一移動方向移動距離のスクロール表示は、連動指示の入力があったとき行い、該連動指示の入力が無い場合には拡大指示，縮小指示，スクロール指示があった分割画面の表示画像に対してだけ拡大表示，縮小表示，スクロール表示を行うことを特徴とする。
【００１５】
この構成により、連動した画像変更と連動しない画像変更とをユーザが任意に設定可能となる。
【００１６】
本発明の画像比較表示方法及びその装置並びに画像比較表示プログラムは、第１の画像と第２の画像とが両方共に内包される共通画像サイズを決定し、前記画像が前記共通画像サイズより小さい画像のときは該画像の周りにべた塗り表示用のデータを付加することで前記１，第２の画像を前記共通画像サイズと同サイズにして夫々を表示用画像とし、該表示用画像から切り出した画像を前記各分割画面に夫々表示することで画像の解像度を自動的に同じにすることを特徴とする。
【００１７】
この構成により、両画像の表示解像度を一致させるのが容易となる。
【００１８】
本発明の画像比較表示方法及びその装置並びに画像比較表示プログラムは、第１の分割画面に表示されている第１の画像と第２の分割画面に表示されている第２の画像とを連動させて拡大表示または縮小表示或いはスクロール表示させた後に前記第１の分割画面に表示されている前記第１の画像を第３の画像に変更する場合には、前記第２の分割画面の表示画像を固定し、前記第２の画像と前記第３の画像から求めた前記共通画像サイズ中における前記表示画像の切出枠の画素座標を求め、該画素座標と同じ切出枠にて前記共通画像サイズの前記第３の画像から表示用の画像を切り出し前記第１の分割画面に表示することを特徴とする。
【００１９】
この構成により、拡大，縮小，スクロール処理を行ってから一方の画像を変更しても他方の画像の表示解像度や位置は固定のままとなり、且つ変更後の画像も対応した位置で同一解像度により表示されるため、両画像の比較が容易となる。
【発明の効果】
【００２０】
本発明によれば、両画像の解像度を自動的に同じにして表示するため、大きさの異なる画像であっても比較が容易となる。
【発明を実施するための最良の形態】
【００２１】
以下、本発明の一実施形態について、図面を参照して説明する。
【００２２】
図１は、本発明の一実施形態に係る画像比較表示装置の構成図である。この画像比較表示装置は、通常のパーソナルコンピュータ等に画像比較表示プログラムを実行させることで実現される。
【００２３】
本実施形態の画像比較表示装置は、高速の中央演算処理装置（ＣＰＵ）１１と、主メモリ（ＲＡＭ）１２と、イニシャルプログラム等が格納されたＲＯＭ１３と、入力デバイスであるキーボード１４及びマウス等のポインティングデバイス１５と、外部記憶メディア例えばフレキシブルディスク１６が接続されるＦＤドライブ１７と、大容量記憶メディアとしてのハードディスク（ＨＤＤ）１８と、画面３を備えるモニタ表示装置１９が接続される表示制御部２０と、デジタルカメラ２１を接続するためのインタフェース（ＩＦ）部２２と、これらを相互に接続するバス２３とを備える。
【００２４】
図２は、本実施形態の画像比較表示装置で実行される画像比較表示方法の概念説明図である。画像Ａを第１分割画面に表示し、画像Ｂを第２分割画面に表示する場合を例に説明する。画像Ａと画像Ｂは、この例では、アスペクト比は同一であるが、画像Ａの画像サイズに対して画像Ｂはその画像サイズが小さくなっている。今、画像Ａの解像度すなわち画像サイズは８００（横）×６００（縦）ドットであり、画像Ｂの解像度すなわち画像サイズは６４０（横）×４８０（縦）ドットとする。
【００２５】
本実施形態では、比較表示する２枚の画像の画像サイズが異なる場合には、両画像の共通画像サイズＭabを決定する。共通画像サイズとは、両画像が共に内包される画像サイズである。上記の画像Ａ，Ｂの場合には、８００（横）×６００（縦）ドットが共通画像サイズＭabとして決定される。
【００２６】
画像Ａの画像サイズは共通画像サイズＭabと一致するため、画像Ａの画像データをそのまま表示用画像とする。しかし、画像Ｂの画像サイズは共通画像サイズＭabと一致しない。そこで、この例では画像Ｂを中心に画像Ｂの周りに、例えば灰色でベタ塗り表示されるデータＢ’を付加して全体として８００（横）×６００（縦）ドットの画像データを作成し、これを画像Ｂの表示用画像とする。
【００２７】
そして、図３に示す様に、画像Ａの表示用画像をモニタ画面３の第１分割画面１に表示し、画像Ｂの表示用画像を第２分割画面２に表示する。これにより、第１分割画面１に表示された画像Ａと第２分割画面２に表示された画像Ｂとの解像度が等しくなり、両画像Ａ，Ｂの比較が容易となる。即ち、画像Ｂがフィット表示により第２分割画面２に拡大表示されることがなくなる。
【００２８】
図２では、アスペクト比が等しい画像Ａ，Ｂから共通画像サイズＭabを決定したが、アスペクト比が異なる画像Ａ，Ｂからでも共通画像サイズＭabを決定することができる。図４は、その説明図である。
【００２９】
図４に示す例の画像Ａの画像サイズは８００（横）×６００（縦）ドットであり、画像Ｂの画像サイズは４８０（横）×６４０（縦）ドットである。この場合には、両画像Ａ，Ｂを内包する共通画像サイズＭabとして、８００（横）×６４０（縦）ドットの画像サイズが決定される。そして、画像Ａの上下に夫々灰色でべた塗り表示されるデータＡ’を付加して画像Ａの表示用画像とし、画像Ｂはその左右に夫々灰色でべた塗り表示されるデータＢ’を付加して画像Ｂの表示用画像とする。
【００３０】
図５は、図４で作成された画像Ａを第１分割画面１に表示し、画像Ｂを第２分割画面２に表示した例を示す図である。この場合でも、画像Ａ，Ｂが共に解像度が等しい画像として表示されるため、直感的な比較が可能となる。
【００３１】
ここで、共通画像サイズは、大きさが任意の２枚の画像Ａ，Ｂから生成されるため、そのアスペクト比や大きさは、第１，第２分割画面１，２のアスペクト比や大きさと異なるのが普通である。そこで、斯かる場合には、共通画像サイズの画像Ａ，Ｂの夫々の表示用画像から、分割画面１，２に表示する領域を同じ大きさの切出枠４ａ，４ｂ（図４参照）で切り出し、表示する。
【００３２】
また、第１分割画面１に表示されている画像Ａに対して拡大表示指示や縮小表示指示、スクロール表示指示等が入力された場合、画像Ａのみの表示を拡大，縮小，移動しても良いが、連動指示の入力操作が行われている時は、画像Ａ，Ｂともに、同一の倍率で拡大，縮小表示を行い、また、同一移動方向，移動距離での画面スクロールが行われる。これにより、両画像Ａ，Ｂの拡大，縮小，スクロール時にも両画像Ａ，Ｂの比較が容易となる。
【００３３】
図６は、上述した画像Ａ，Ｂの共通画像サイズ決定処理及び拡大，縮小表示時の連動処理の処理手順を示すフローチャートである。尚、スクロール表示の連動処理については省略しているが、これは拡大，縮小処理と同様にできる。
【００３４】
先ず、画像Ａの幅データ及び高さデータを取得すると共に、画像Ｂの幅データ及び高さデータを取得する（ステップＳ１）。次に、画像Ａ，画像Ｂの幅データのうちの大きい方の幅データＷと、画像Ａ，画像Ｂの高さデータのうちの大きい方の高さデータＨとを求めて共通画像サイズＭabの画像サイズＷ×Ｈを決定する（ステップＳ２）。
【００３５】
そして次のステップＳ３では、画像Ａ，Ｂから、共通画像サイズＷ×Ｈの表示用画像Ａ，Ｂを作成する。図２で説明した例では、画像Ｂから表示用画像Ｂを作成する場合、画像Ｂを中心として周りに灰色ベタ表示用データを付加したが、画像Ｂを中心にする必要はなく、画像Ｂが偏った位置となるように灰色ベタ表示用データを付加してもよい。これらの表示用画像Ａ，Ｂは、画像Ａ，Ｂとは別に、図１の表示制御部２０内に設けられている画像メモリ内に一時的に保存される。
【００３６】
次のステップＳ４では、ステップＳ３で作成した表示用画像Ａ，Ｂを夫々分割画面１，２（図３，図５）に表示する。このとき、必要な場合には、図４で説明した枠４ａ，４ｂを用い、表示用画像Ａ，Ｂから表示対象領域を切り出す。
【００３７】
この図３，図５の画面表示において、例えばマウスカーソルを用いて画面３中の連動ボタン５がクリックされていたとする。そして、画面３中の操作ボタンのうち拡大指示ボタン６がクリックされたか否かをステップＳ５で判定し、拡大指示が入力された場合には、ステップＳ６経由でステップＳ７に進み、拡大指示が入力されない場合にはそのままステップＳ７に進む。ステップＳ６では、表示用画像Ａを拡大して分割画面１に表示する共に、表示用画像Ａの拡大率と同一倍率で表示用画像Ｂを拡大して分割画面２に表示する。
【００３８】
ステップＳ７では、縮小指示ボタン７がクリックされたか否かを判定する。縮小指示が入力された場合には、ステップＳ８経由でステップＳ９に進み、縮小指示が入力されない場合にはそのままステップＳ９に進む。ステップＳ８では、表示用画像Ａを縮小して分割画面１に表示する共に、表示用画像の縮小率と同一倍率で表示用画像Ｂを縮小して分割画面２に表示する。
【００３９】
ステップＳ９では、表示を継続するか否かを判定し、継続する場合にはステップＳ５に戻り、表示を継続しない指示入力があったとき表示を終了する。
【００４０】
この様に、本実施形態によれば、解像度の一致した２枚の画像が各分割画面に表示されるため、面倒な操作無しに画像比較を容易に行うことが可能となる。
【００４１】
次に、画像Ａと画像Ｂとが上述した様にして同一画面３の各分割画面１，２に表示されているとき、分割画面１の表示画像を画像Ａから画像Ｃに変更する指示が入力された場合を説明する。
【００４２】
図７に示す様に、画像Ｂ中の任意領域を切出枠４ｂで切り出して分割画面２に拡大表示し、この切出枠４ｂと同一の切出枠４ａで画像Ａの任意領域を切り出し分割画面１に拡大表示していたとする。そして、分割画面１の表示画像を画像Ａから画像Ｃに変更する場合、ユーザにとってみれば、分割画面２の画像Ｂの表示を固定したまま、分割画面１の画像Ｃを画像Ｂに対応する画像Ｃすなわち切出枠４ｂに対応する切出枠４ｃで切り出した拡大画像で表示するのが画像比較の点で好ましい。
【００４３】
そこで、本実施形態では、上記の連動指示が入力されている場合、例えば画像Ｂの左上隅点ｂ０を原点とした切出枠４ｂの左上隅点ｂ１の画素座標（ｓｘ，ｓｙ）と右下隅点ｂ２の画素座標（ｅｘ，ｅｙ）とを求め、画像Ｂの高さｂＨと幅ｂＷとを求め、そして、画像Ｂと画像Ｃの共通画像サイズＭbcの左上隅点Ｍ０を原点とした切出枠４ｂと同一切出枠４ｃ（左上隅点ｃ１，右下隅点ｃ２）を算出し、この切出枠４ｃで表示用画像Ｃを切り出し、分割画面２に表示するという連動表示処理を行う。
【００４４】
図８は、図７で説明した連動表示処理の処理手順を示すフローチャートである。先ず、ステップＳ１１で、分割画面１を主画面（表示固定側画面）とし、分割画面２を幅画面（表示変更側画面）とし、変更フラグ＝オフとし、ステップＳ１２に進む。
【００４５】
ステップＳ１２では、分割画面１に表示中の画像Ａを別の画像Ｃに変更する指示があったか否かを判定する。この判定結果が否定の場合には、次のステップＳ１３で、分割画面２に表示中の画像Ｂを別の画像Ｃに変更する指示があったか否かを判定する。
【００４６】
ステップＳ１３の判定結果が否定の場合にはステップＳ１４に進み、変更フラグがオンであるか否かを判定し、この判定結果が否定の場合にはステップＳ１５に進み、表示を継続するか否かを判定し、判定結果が肯定の場合にはステップＳ１２に戻り、否定の場合には処理を終了する。
【００４７】
ステップＳ１２の判定の結果、分割画面１の表示画像変更指示入力があった場合にはステップＳ１２からステップＳ１６を経由してステップＳ１３に進む。ステップＳ１６では、変更指示がされなかった方の分割画面２を主画面とし、変更指示がされた分割画面１を副画面とし、変更フラグ＝オンとする。
【００４８】
ステップＳ１３の判定の結果、分割画面２の表示画像変更指示入力があった場合にはステップＳ１３からステップＳ１７を経由してステップＳ１４に進む。ステップＳ１７では、変更指示がされなかった方の分割画面１を主画面とし、変更指示がされた分割画面２を副画面とし、変更フラグ＝オンとする。
【００４９】
ステップＳ１４の判定結果が肯定、すなわち、変更フラグ＝オンの場合には、ステップＳ１８〜ステップＳ２４に進み、その後に、ステップＳ１５に入る。
【００５０】
ステップＳ１８では、先ず、主画面上の画像の表示位置を取得し、主画面上の画像のサイズ（幅と高さ）を取得する。図７の例では、画像Ｂの切出枠左上隅点点ｂ１，右下隅点ｂ２の各画素座標と画像サイズ幅ｂＷ，高さｂＨを取得する。
【００５１】
次のステップＳ１９では、画像Ｂの幅及び高さのデータを読み込むと共に画像Ｃの幅及び高さのデータを読み込み、ステップＳ２０で、画像Ｂ，Ｃの幅のうち大きい方の幅Ｗを選択すると共に画像Ｂ，Ｃの高さのうち大きい方の高さＨを選択し、共通画像サイズＭbcを決定する。そして、ステップＳ２１で、画像Ｂを中心として周りに灰色ベタ塗り表示用のデータを付加して表示用画像Ｂを作成すると共に、画像Ｃを中心として周りに灰色ベタ表示用のデータを付加して表示用画像データＣを作成する。このステップＳ１９，Ｓ２０，Ｓ２１の各処理は、図６のステップＳ１，Ｓ２，Ｓ３と同じである。
【００５２】
次に、ステップＳ２２では、図７に示す表示用画像Ｃから切り出す切出枠４ｃの左上隅点ｃ１（Ｓｘ’，Ｓｙ’）と右下隅点ｃ２（Ｅｘ’，Ｅｙ’）の画素座標を、表示用画像Ｃの左上隅点Ｍ０を原点として算出する。
【００５３】
算出式は、Ｓｘ’＝ｓｘ＋（Ｗ−ｂＷ）／２
Ｓｙ’＝ｓｙ＋（Ｈ−ｂＨ）／２
Ｅｘ’＝Ｓｘ’＋（ｅｘ−ｓｘ）
Ｅｙ’＝Ｓｙ’＋（ｅｙ−ｓｙ）
である。
【００５４】
次のステップＳ２３では、切出枠４ｃで切り出した画像Ｃを分割画面１に表示し、切出枠４ｂ（この切出枠４ｂについては、切出枠４ｃと同様に新たに原点Ｍ０に基づいてステップＳ２２で同様に計算し直す。）で切り出した画像Ｂを分割画面２に表示する。そして、変更フラグをオフにして（ステップＳ２４）、ステップＳ１５に進む。
【００５５】
この様に、本実施形態では、既に分割画面２に表示されている画像Ｂの表示を固定したまま、面倒な操作無しに画像Ｃを画像Ｂの解像度に一致させて表示することができるため、ユーザは容易且つ的確に画像比較を行うことができる。
【００５６】
尚、上述した実施形態では、各分割画面１，２を、重複することのない画面として図３，図５に図示したが、重複可能な２つの表示ウインドウを夫々分割画面とし、夫々の表示ウインドウに画像を表示して比較する場合にも本発明を同様に適用可能である。
【産業上の利用可能性】
【００５７】
本発明では面倒な操作無しに解像度が一致した画像を表示することができるため画像比較が容易且つ的確になるという効果を奏し、画像比較表示方法等として有用である。
【図面の簡単な説明】
【００５８】
【図１】本発明の一実施形態に係る画像比較表示装置の構成図である。
【図２】本発明の一実施形態に係る画像比較表示方法でアスペクト比の同じ２枚の画像から夫々表示用画像を生成する概念説明図である。
【図３】図２で説明した画像比較表示方法により生成した２枚の画像を画面に表示した例を示す図である。
【図４】本発明の一実施形態に係る画像比較表示方法でアスペクト比の異なる２枚の画像から夫々表示用画像を生成する概念説明図である。
【図５】図４で説明した画像比較方法により生成した２枚の画像を画面に表示した例を示す図である。
【図６】本発明の一実施形態に係る画像比較表示方法の処理手順を示すフローチャートである。
【図７】本発明の別実施形態に係る画像比較表示方法の概念説明図である。
【図８】本発明の別実施形態に係る画像比較表示方法の処理手順を示すフローチャートである。
【符号の説明】
【００５９】
１  第１分割画面
２  第２分割画面
３  モニタ画面
４ａ，４ｂ，４ｃ  切出枠
５  連動指示ボタン
６  拡大指示ボタン
７  縮小指示ボタン
１１  ＣＰＵ
１９  表示装置
２０  表示制御部
【図１】
2005084089.tif 000003
【図２】
2005084089.tif 000004
【図３】
2005084089.tif 000005
【図４】
2005084089.tif 000006
【図５】
2005084089.tif 000007
【図６】
2005084089.tif 000008
【図７】
2005084089.tif 000009
【図８】
2005084089.tif 000010